(57)【特許請求の範囲】
【請求項１】
デジタイザ座標入力システムに用いる電子ペンであって、
筆記具形状をした筐体と、
該筐体内に配置され、ポテンシオメータを含む電子回路と、
操作者の指により中心軸の回りに回転可能なホイールであって、そのホイールが回転される角度θ度が、前記デジタイザ座標入力システムに利用されるコントロールパラメタ又はグラフィカルパラメタが変化する度合いを決定する指回しホイールと、
該指回しホイールの周辺部に固定して設けられた複数の歯であって、該指回しホイールと中心軸を同じくする指回しホイール歯と、
該指回しホイール歯と噛合う第一の歯のセットと、前記電子回路に含まれる前記ポテンシオメータに設けられた対応する歯と噛合う第二の歯のセットとを有し、前記ポテンシオメータが前記角度θ度を検出し前記パラメタの変化を引き起こすことができるように配置されたギヤホイールとを備え、
該ギヤホイールの前記第一の歯のセットと前記第二の歯のセットとは、中心軸を共通とし、直径を異なるものとすることを特徴とする電子ペン。
【請求項２】
請求項1記載の電子ペンであって、
前記指回しホイールが、プラスチックまたは金属により一体形成され、該一体形成された部分が、少なくとも部分的に環状のＴ形状の部分を有し、握り部分が前記指回しホイールの外側部分に付属させることを特徴とする電子ペン。
【請求項３】
請求項２に記載された電子ペンであって、
前記握り部分が前記指回しホイールのすべての周辺よりは少ない部分に取り付けられたエラストマ材料を有し、前記Ｔ形状の部分が前記ホイールの前記中心軸の周りに３６０度よりも少ない広がりを有し、かつ、前記Ｔ形状の部分が前記中心軸の周りに少なくとも１８０度の環状の広がりを有することを特徴とする電子ペン。
【請求項４】
請求項１記載の電子ペンであって、
前記指回しホイールの軸は、前記電子ペンの長手軸に対して実質的に垂直な向きを有し、前記指回しホイールに設けられた前記指回しホイール歯が、前記指回しホイールの前記中心軸の周りにおよそ８０度から１４０度の範囲の円弧を描くような広がりを有することを特徴とする電子ペン。
【請求項５】
請求項１記載の電子ペンであって、
さらに、前記デジタイザ座標システムのデジタイザタブレットのループコイルから電磁波を受け取り、前記デジタイザタブレットのループコイルに電磁波を送信する同調回路を含むことを特徴とする電子ペン。
【請求項６】
請求項５記載の電子ペンであって、電磁波をそれから受け取るところのループコイルが、そこに向けて同調回路からの電磁波が送信されるループコイルとは異なることを特徴とする電子ペン。
【請求項７】
請求項１記載の電子ペンであって、
前記指回しホイールは、バネによる偏向がいかなる位置にもなされていなく、前記電子ペンは対応する前記デジタイザ座標システムのデジタイザタブレットに向けて、指回しホイールの所定の回転位置に関連して、回転位置を指示する信号を出力することを特徴とする電子ペン。
【請求項８】
請求項１記載の電子ペンであって、
前記筐体がその上に形成された開口部を有し、該開口部を通って前記指回しホイールが、外側に向かって突出すべく構成されたことを特徴とする電子ペン。
【請求項９】
請求項１記載の電子ペンであって、
前記パラメタが、線の太さ、スクローリング、ナビゲーティング、色、影、グレイスケール、そして、質感のうちの一つを含むことを特徴とする電子ペン。
【請求項１０】
グラフィック座標入力システムであって、デジタイザタブレットと請求項１記載の電子ペンを含むことを特徴とするグラフィック座標入力システム。
【発明の詳細な説明】
【０００１】
【発明が属する技術分野】
この発明は、デジタイザその他の座標入力システムとともに用いる電子ペンタイプのデバイスに関する。特に、位置指示用の電子ペンで「回転可能なホイール形状をしたサイドスイッチ」（以下、必要に応じて「ロータリースイッチ」と略す。）を含むものに関する。  このサイドスイッチを扱い、回転させることにより、操作者はその座標入力システムを介して描くイメージのグラフィカルバラメタやコントロールパラメタ（たとえば、線の太さ、色、ペンストローク、陰影、線の構成、など）を変化させることができる。他の利用としては、このサイドスイッチでテキストドキュメントのスクロールをしたり、3次元空間における第3次元のナビゲーションをしたり、ドキュメントやグラフィカル描写の拡大、縮小をしたりということが考えられる。ある特定の実施例においては、タッチパッドが電子ペンの側面のフィンガーホイールを置き換え得る。
【０００２】
【従来の技術】
座標入力システムとの組み合わせで用いる位置指示器は，一般に知られている。たとえば，アメリカ合衆国特許第5,731,807号; 第5,028,745号; 第5,061,828号; 第5,109,141号; 第5,055,831号; そして第 5,004,871号に開示されている。これらの位置指示器は，デジタイザシステムのような座標入力システムとの組み合わせに用いられ得る。
【０００３】
米国特許第５，７３１，８０７は，座標入力システムに座標データを入力するためのマウスを開示している。残念ながら，グラフィクスタブレットのユーザの中には，マウス装置を嫌い，描画向けの筆記具様の装置を好む者がいる。
【０００４】
米国特許第５，００４，８７１号は，圧力を検出し得るサイドスイッチを備えた電子ペンを開示している。そのスイッチはペン軸を横切る角度で見て，筐体から外側に出っ張っている。スイッチに加えられる力（圧力）の強さが電子ペンにより出力される信号を決定付ける。残念ながら，米国特許第５，００４，８７１号においては，スイッチが筐体に関し横に並ぶこと及びそのスイッチの動きがペン軸に対して横切る方向であることは，望ましくない。スイッチが横方向に動くこと又は突起することは衝撃を受けやすいことにつながる。さらに，ユーザのうちのある人々にとっては，電子ペンを用いて筆記や描画の際に指の押圧を横方向に正確に調整することは困難である。つまり，描画の動きをしている最中に横方向の指押しを正確にしかも調整できるように要求することは，適当でなく実現が困難である。電子ペンのサイドスイッチの横方向の突起も同様である。これらの特徴は，取り除かれるのが望ましい。
【０００５】
米国特許番号５，１０９，１４１は 筐体の側面に沿って動くことのできるスイッチを含むデジタイザの電子ペンを開示している。そして，それにおいては，そのスイッチは，ユーザが指を離した後でも動いたその位置にとどまるものである。１４１特許のスイッチは筐体側面に沿って，ペン軸の長手方向に平行に動き得る。１４１サイドスイッチのこれらの特徴は望ましくない。第一に，描画の最中に筐体の側面に沿ってスイッチを動かさねばならないのは，望ましくない。第二に，筐体側面に沿って筐体の長手軸に平行に動き得るサイドスイッチを有することは好ましくない。なぜなら，描画や運筆の動きの最中にそのような動きを要求することは望ましくないからである。また，そのような動きは指を滑らせる動きを要求するものであり，それはエアーブラッシの使い方を十分に疑似するものではなく，しばしば電子ペンの運筆の最中には望ましくないからである。
【０００６】
【発明が解決しようとする課題】
以上の考察から，先行技術には一つの課題があるのが見えてくる。エアブラッシの使い方をシミュレートできる電子ペンが望まれる。そして，それは指で入力できるデバイスを含むことが望ましい。たとえば，フィンガーホイールや，タッチパッドのようなものである。その指入力デバイスは描画運筆の最中にも容易に用いることのできるものが望ましい。そして，指で操作可能な入力デバイスであることが望ましい。電子ペンの筐体に関して横方向に突起するものであってはならない。ペン軸に対して横方向の動きを要求するデバイスであってはならない。電子ペンの長手方向に平行な滑る動きを要求するデバイスであってはならない。そして，筐体側面に沿ってデバイス又はスイッチの動きを要求するものであってはならない。
【０００７】
上に述べた必要性を解決することがこの発明の目的である。以下に述べるこの発明の特定の実施例についての詳細な説明から当業者にとって見えてくるであろう他の必要性についても同様である。
【０００８】
【課題を解決するための手段】
概していえば、この発明はデジタイザを用いた座標入力システムにおいて用いる電子ペンを提供することにより、この技術分野における上述した課題を解決するものである。
その電子ペンは、
筐体と、
該筐体内部に設けられたポテンシオメータを含む電子回路と、
中心軸に関してユーザが回転可能な指回しホイール又はダイヤルであって、その指回しホイールが回された度合いが、デジタイザ座標入力システムにより用いられている制御パラメタ又はグラフィカルパラメタが変化する大きさを決定するものと、
該フィンガーホイールの周辺部に設けられた複数の歯と、
該フィンガーホイールの複数の歯と噛み合う第一ギヤ歯セットと、前記電子回路を構成する部品の一つであるポテンシオメータが指回しホイールが回転された度合いを検出して、それに対応して前記制御パラメタ又はグラフィカルパラメタが変化され得るように該ポテンシオメータ上の対応する歯と噛み合う第二ギヤ歯セットとを含むギヤホイールと、
を有し、
ギヤホイール上の第一ギヤ歯セットの外径は、ギヤホイール上の第二ギヤ歯セットの外径と異なる直径を有するか、或いはそれよりも小さいことを特徴とする。
【００１１】
【発明の実施の形態】
以下、図面を参照しつつ、本発明の実施例を説明する。符号として用いた数字は、複数の図面にわたって同様の部分については同様の数字を用いるようにしてある。
【００１２】
【実施例】
図1から図3までは、本発明の実施例に基づいて疑似エアブラッシ電子ペン1を示している。電子ペン１は、完全には、細長い形状ではないが、その代わり出っ張った握り領域３を含んでいる。この握り領域があることにより、エアーブラッシの形状を疑似することが可能になっている。  電子ペン１は、中空の筐体５、指回しホイール又はダイヤル７、オンオフデータインプットスイッチ９、感圧ペン先１１、長手ペン軸１２、感圧デバイス１３、中間ギヤホイール１５、ロータリー・ポテンシオメータ１７、主要処理実行チップ１９、プリント回路基板２１、トリマコンデンサ２３、イレーサー用組み立て部品２５、イレーサーチップ２７及びイレーサー圧力センサ２９を含んでいる。  指回しホイール又はダイヤル７は、ホイールが調節された量又は角度にしたがって変数を入力するためのものである。  感圧ペン先１１は、タブレットと接触する部分である。  感圧デバイス１３は、ユーザが感圧ペン先１１を介し、タブレットに抗して、電子ペンに加える圧力の量を検出するものである。  ロータリー・ポテンシオメータ１７は、指回しホイール７が調節又は回転された角度を検出するものである。  プリント回路基板２１は、少なくとも一つの平らな表面を有しており、それが一つの平面を規定する。  図示されたように、中空の筐体５は、開口部又は隙間を有している。開口部又は隙間は、指回しホイール７の上部が、筐体５の内部から外に向かって出っ張るのを許すべく、その位置と大きさが定められる。その開口部又は隙間を通ってホイール７の出っ張り部分が露出しており、ユーザがそれに触ることができ、固定ホイール軸３１の周りにホイール７を回転することができる。  特定の実施例にあっては、ホイール７は、最初のニュートラルの位置（つまりあらかじめ定められた位置）から軸31の周りに一方向の回転のみが許され、それからそのニュートラルな位置に戻る。  とはいえ、あらかじめ定められた位置から二方向の回転をすることとする実施例も可能であり、一方向の実施例とは二者択一のものとなる。
【００１３】
指回しホイール７は、固定軸31の周りに回転し得るように、筐体５の内部に据え付けられる。電子ペン１のユーザは、描画又は筆記の際に、たとえば人差し指を用いてホイール7を操作して、それを軸31の周りに回転することができる。ホイール７の外縁部もまた、回転し得るギヤホイール15との間で相互作用し得る。ギヤホイール１５は、静止軸３３の周りに回転し得るように、筐体５の内部に据え付けられている。ギヤホイール１５は指回しホイール７とポテンシオメータ１７とのどちらとも有効に相互作用し得る。ロータリーポテンシオメータ１７は，どれだけ（つまり，何度）ギヤホイール１５が回転されるかを決定する。そしてユーザがホイール7をどれだけ（何度）操作，又は回転したかを決定する。かくして，ユーザがフィンガーホイール７を（時計回りであれ，反時計回りであれ）軸31の回りに回転するとき，ホイール７の回転はギヤホイール１５をホイール7とは反対の向きに回転させる。ポテンシオメータ１７はギヤホイール１５の回転の度合いを検出し，フィンガーホイール７のユーザによる回転の度合い又は量を決定付けることができる。ポテンシオメータ１７は，電子ペンの中の他の回路と協働して，その後，電子ペンがタブレット（又はコンピュータ）に向けてホイール7がどれだけ回転したと検出されたかを示す電磁波シグナルを出力するように仕向ける。回転の量又は度合いが，選択されたグラフィカルパラメタの調整の度合いを決定する。
【００１４】
かくして，ユーザはフィンガーホイール7をまわすことにより連続的にグラフィクスパラメタデータ又は制御パラメタデータを調整することができる。たとえば，描かれる線や運筆の太さ，描かれる線や運筆の色，描かれる線や運筆の質感，描かれる線や運筆の濃度，そして／又は描かれている線や運筆の描画においてシミュレートされているブラッシやスタイラスの種類のようなものである。言い換えれば，ホイール７はオンオフスイッチではなく，可変回転ホイールであって，電子ペンに，ホイール７が軸３１の回りに回転される回転の向き及び／又は角度にしたがって，複数の異なる信号又はレベルの出力を引き起こさせることのできるものである。これらの異なる信号は，書く際に又は描く際に，上述したリストに含まれる複数のパラメタのいずれかを異なる量だけ連続的に変化させる又は調整するのに用いられ得る。
【００１５】
たとえば，もし線の太さが指回しホイール7により調整されるべく選択されたグラフィックパラメタであるとすると，ホイール７が軸31の回りに予め定められた初期の位置から時計回りに10度だけ回転された状態だと第一の太さの線が座標入力システムの電子ペンによりタブレットを介して描画され表示画面上に表示される。ホイール７が軸31の回りに時計回りに12度だけ回転された状態だと第二の太さの線が描かれる。ホイール７が軸31の回りに１４度だけ回転された状態だと第三の太さの線が描かれる。ほかの角度についても同様である。さらに，線を描いている作業をしている間ユーザがホイール7を回す際に，太さが変化しつつある線の状態を描くこととする実施例も可能である。
【００１６】
ある特定の実施例においては，指回しホイール７により変更され又は調整されるべきイメージパラメタ（たとえば，線の幅，グレイスケール，色，など）は，ホイール７の回転度合いの線形関数として変化する。たとえば，電子ペン１により描かれる線の太さは，ホイール７がその最初の位置から軸31の回りに回転する角度ごとに（1度毎に）対応する液晶ディスプレイスクリーン上で与えられた量（たとえば0.1ミリメートル）だけ増加し得る。本発明の他の実施例にあっては，ホイール7により調整されるべきパラメタは，ホイール7の回転の度合いに対して非線形的に変化し得る。非線型の例としては，軸３１の回りのホイール7の回転の最初の一度の変化に対して第一の量（たとえば０．１０ミリメートル）だけ線の太さを太くし，ホイール7の回転の次の一度の変化に対しては第二の大きな量（たとえば，０．１２５ミリメートル，合計の増加量としては０．２２５ミリメートル）だけ線を太くし，３度の回転に対しては第三の量（たとえば，０．１５０ミリメートル，合計の太さの増加分は，０．３７５ミリメートル）といった具合である。
【００１７】
ある特定の実施例にあっては，ホイール又はダイヤル７は，どの方向にも，ばねなどによる偏りをもってはいない。そして，そのホイールをどの方向に回転するにもユーザの操作を必要とする。一方，他の実施例にあっては，指回しホイール７はニュートラルな位置あるいはゼロ度の位置（すなわち予め定められた位置）に向けて，偏りをもつ。ホイールはその位置に向けて偏向ばね又はいずれかのほかのタイプの偏向デバイスによって偏りをもつように仕向けられる。かくして，ユーザがホイール７を軸３１の回りに元の位置又はニュートラル位置から反時計回りに５度だけ回転すれば，偏向の効果により，ユーザがホイール７を放したとき，ホイール７は自動的に逆回転してニュートラル位置に戻る。ホイール７は，ユーザがホイールを放すときに，軸３１の回りに逆回転していかなる位置からもニュートラル位置に戻るように偏向され得る。したがって，線の太さがホイール７により調整されるべきパラメタであるとき，ホイール７がニュートラルな位置にある時には，電子ペンは与えられた描かれるべき線の太さを指示する信号を出力する。ホイール７が軸３１の回りにある向きに回転されるとき，線の太さは回転の度合いに応じて次第に小さくなり，ユーザはホイール７の回転位置を調整することにより線の太さの連続的な調整が可能となる。ユーザがホイール７から指を離すと，ホイールは逆戻りの回転をしてニュートラル位置に戻る，そして線の太さは与えられた線の太さに戻る。しかしながら，ユーザがホイール７を軸３１の回りに他の向きに回すと，ポテンシオメータは電子ペンをして，システムに線の太さを増大することを指示するシグナルを出力せしめる。そして，画像が描かれる線の太さは次第に増大する。同様に，ユーザがホイール７を離すと，ホイールは偏りをもっているので，逆回りに元の位置又はニュートラルな位置まで戻り，線の太さは前述した所定の幅に戻る。ユーザは，ニュートラルな位置の線の太さを異なる線の濃さについてそれぞれ設定又はプログラムできる。他の実施例としては，ホイール７は，予め定められたニュートラルの位置から一方の向きについてのみ回転可能であることとすることも可能である。
【００１８】
上述した特定の好ましい実施態様にあっては、指回しホイールは、いかなる方法によっても、ばね仕掛けにはなっていないし、またばねによる偏りをも持っていない。そのような実施態様にあっては、一つの方向に最も遠くの位置までホイールの突出した表面が回転されると（たとえば，図1における時計回りにいっぱい回すと），その電子ペンは予め定められたこの位置においてデジタイザシステムに対してゼロレベルを指示する信号を出力し，そしてそのホイールが逆方向にいっぱい回されたときには電子ペンはデジタイザシステムに対して最大レベルの信号を出力する。それらの間の回転位置においては，電子ペンによってデジタイザシステムに通知されるレベルの数値は指回しホイールの回転角度がそのゼロレベルの初期位置から見てどれだけの位置にあるかに関係する関数である。
【００１９】
好ましい実施態様にあっては，指回しホイール７は軸31の回りに360度の広がりを持つ丸い周辺部を有して，その軸の回りに実質的に完全な円形を形成する。ある特定の実施態様にあっては，そのホイールの上部のユーザの指との接触部は，指による制御の改善のため，ゴムによりカバーされることができる（図２０の１２３参照）。一方，下部（軸31の回りに約120度から130度から下の部分）はギヤホイールとの相互作用をするためのギヤ歯１０１を有していて，そのため，ゴムによる被覆はなされていない。しかしながら，このことはすべての実施態様において，必要なものではない。ある特定の実施態様におけるホイール７は，軸31の回りに360度よりも少ない広がりを有する部分的な周辺部を持つにすぎない。たとえば，ホイール７はハーフパイの形状（つまり半円形状）を有し得る。また，4分の３パイ（つまり270度）の形状とすることもできる。そのような場合でも，ホイール７と呼ぶこととする。また，ホイール７の周辺部は必ずしも軸31の回りに連続している必要はない。
【００２０】
ある特定の実施態様にあっては，ホイール又はダイヤル７は円形である。しかし，他の形状たとえば楕円形，三角形などとすることも可能である。さらに加えて，図18から20までに示すように，本発明に従えば，ホイール又はダイヤル７は中心軸31の回りにただ単に回転可能であることが必要であって，完全に円形である必要もなく，また等しい厚みをもつような「ホイール」又は「ダイヤル」である必要もない。ホイール又はダイヤル７の要請としては，描かれるイメージのパラメタを電子ペンにより調整すべく変数情報を入力するために，（たとえば31のような）軸の回りに回転可能であればよい。
【００２１】
さらに図1から3までの実施態様を参照しつつ，説明する。電子ペン１は，たくさんの電子チップ（たとえば１９）及び電子ペンに役立つその他の回路を支持するために筐体5内に配置された回路基板２１を含み得る。たとえば，以下本明細書において参照する米国特許５，０２８，７４５に開示されているように，電子ペンはコイルとコンデンサを含む同調回路（図１３参照）をその内部に搭載して含むことができ，そうすることにより電子ペンはバッテリー要らず，タブレットに電子ペンを接続するためのコード要らずの構成とすることができる。このようにして，特定の実施態様における電子ペン１は，同調回路を含み，かつ，対応するタブレットにいかなるやり方においても接続されていない。消しゴムシステム２５は，選択的な実施態様において，供給され得る。さらにいえば，ある実施態様にあっては，従来型のオンオフスイッチ９もまたマウスクリックあるいは他の機能を疑似するために備えることができる。このようにして，スイッチ９は特定の実施態様において二つの状態（すなわちオンとオフ）を有するだけであるのに対して，指回しホイール７は，ホイール７が操作され得る角度位置が可能な数と同じだけの，潜在する複数の状態を有している。ホイール７は特定の実施態様にあっては，図１から3に示すように，回転軸３１は実質的にペンの長手軸12に対して垂直となり，かつ，イレーサチップ２７の軸にも垂直となるようにも配置され得る。しかしながら，軸３１は図示された位置から９０度動き得て，実質的にペンの長手軸12及びイレーサチップ２７と平行になり得るということが想定されており，かくしてホイール７はユーザの指により前に後ろにと筐体を横切って回転されることができる。
【００２２】
図4から７までは，本発明の別の実施態様であって，指回しホイールを有する細長い電子ペン４１を含むものを示している。電子ペン４１は，本発明の図1から図３の実施態様を参照しつつ説明し，図示した要素を格納する細長い筐体４３を含み，それらは上述したと同様に作用する。筐体４３は，エアブラッシを疑似する握り部分３を有しない。この実施態様は，また，筐体のサイズにしたがったギヤホイールも有しない。指回しホイール７は直接にロータリーポテンシオメータ１７の回転軸上に配置されている。機構的には，中間ギヤの働きが切りつめられているが，このデザインにより，構成部品が筐体内にぴったりと当てはまることが実現され得る。
【００２３】
図８から図１１まではこの発明のさらに別の実施態様を示している。電子ペン４４は，細長い筐体４５を含んでいる。この実施態様は，図4に示す実施態様と同様に，エアブラッシを疑似する握り部分３を含んでいてもいなくてもよい。しかしながら，図8から図１１までの本発明の実施態様は指回しホイールは有していない。その代わり，タッチ検出表面領域５１（つまり感圧パッド）を有している。タッチ検出表面領域５１は，その周辺部あるいはその外の領域において，リッジ（うね）５３により取り囲まれ，あるいは，縁取りされている。上に向かって突出している固定リッジ５３は，ユーザが触知でき，指の位置のフィードバックをできるようにするためのものである。これによりユーザは指が電子ペン上のタッチ検出領域５１にあるか否かを知ることができる。ある特定の実施態様にあっては，タッチ検出領域はどれだけの圧力をユーザが指によりその領域51に加えているかをも検出（たとえば，タッチパッド領域を介して，あるいはタッチパッド表面５１の下に配置されたスイッチ５２を介して，またあるいは，タッチパッド５１とともに用いられ得る何らかのタイプの圧力センサーデバイスを介して）することとできる。かくして，領域５１は，その領域内の指位置を検出でき，かつ／又はその領域内に指により加えられた圧力の量を検出できる。タッチパッド５１は領域51における指位置を一方向（例えばＸ方向）において検出でき、又はその代わりに二つの横方向（例えばＸ，Ｙ方向）における指位置を検出することもできる。さらにまた、Ｘ，Ｙ方向における指位置と圧力をも検出することが出来る。または、Ｚ軸方向の指位置の検出をすることもできる。これらの次元におけるそれぞれの異なる位置又は圧力は、電子ペンをして、タブレットシステムに異なる検出レベルを送り返して、それぞれの検出レベルが書かれ又は描かれるイメージのパラメタに異なる影響を与え、それを調整して、イメージを変化させるよう仕向ける。イメージパラメタは指位置及び／又は圧力の線形関数又は非線形関数として変化させられる。
【００２４】
タッチ検出領域５１は、ユーザの指がその上の横座標のどこにあるかを検出できる。その検出技術としては、例えばよく知られた静電誘導のタッチセンサーによることができる。マトリックス状のスイッチを多数有する膜状のタッチパッド表面が指の存在により近づいて誘電体の対を構成するタイプのものでもよい。ピアゾ電気検出技術でもよいし、光学的な検出技術でもよく、表面音響波検出技術でもよく、抵抗タッチ検出膜技術でもよい。さらにまた、赤外線検出技術でもよく、既知のいかなる他のタッチ検出又は熱検出技術であってもよい。例えば、ユーザの指による物理的接触を検出するタッチ検出領域又はタッチパッド51は、米国特許番号４７３９２９９，４４８９３０２，４４８９３０２，４３１４２７７，５２９２８３７，５５４３５８９，５２３１３８０，４３０２０１１，４４３０９１７，４３９１７４６，４０７１６９１，５３２７１６１そして５６６６１１３に開示されているタッチ検出及び／又は圧力検出技術を含み得る。それらの開示内容は参照資料によりここに編入される。タブレットシステム内のプロセッサー７５又は電子ペンそれ自体内のプロセッサーは、ユーザの指によるパッドタッチを解釈し、そして、領域51内の指位置及び／又は指による領域51内に加えられた圧力を解釈する。タッチパッド５１のセンサーの出力は典型的には、領域51内の指の位置及び／又は圧力を表すアナログ信号である。しかし、同じものを表すデジタル信号に手早く変換し得る。そして、タッチパッド51内の位置及び／又は圧力を示すタッチ入力信号は、アナログ形式によっても、デジタル形式によっても、電子ペンからタブレットに送られることができる。
【００２５】
本発明のある特定の実施態様にあっては、タッチパッド５１の表面はガラス、ポリマー、ゴム又はそのほかの類似の材質により作られ得る。そして、その表面の滑りを可能な限り良くするためにテフロン（商標）または何らかの低摩擦材料でコーティングされることができる。領域５１でのタッチ検出デバイスは、連続的なものであり得る。又は、その表面は複数の区画に分割され得る。いずれにしても、それらはスイッチとして働くか、指位置を検出するかするものであり、それらの組み合わせによりその機能が実現される。
【００２６】
領域51内のユーザの指位置が検出されると、それはグラフィカルパラメタがどれだけ調節されるかを決定する。例えば、描かれている線の濃さは、領域51内のユーザの指位置が領域51内においてペン先に近づくときに増大され得、ユーザの指位置が領域51内においてペンの後ろに近づくとき薄くなり得る。領域５１により調整され得る典型的なイメージ制御又はグラフィカルパラメタは、この発明の他の実施態様に関連して議論した前述のものを含む。
【００２７】
タッチ検出領域又は指検出領域５１は、望ましくは、電子ペン４４を取り囲む筐体４５から突出しない。そして、電子ペンの表面上には可動部分を要求しない。また電子ペンから突出した部分をも要求しないものである。ある特定の実施態様にあっては、領域５１は筐体４５の周辺の表面を形成する輪郭に従うか、若しくはその代わりに平らな形状を持つものである。図１３の回路又は他の適切な電子ペンで回路を含むものは、タッチ検出エリアにおけるユーザの指の位置及び／又はその加えられた圧力を指示して、描かれ又は書かれるイメージの制御パラメタ又はグラフィカルパラメタが領域51内の指位置にしたがって調整されるようにするために電子ペンからタブレットに送られる信号を引き起こす。
【００２８】
図１１（Ｂ）は、図8から図10までに示した本発明の実施態様において用いることのできるタッチパッド５１を図示する。この実施態様にあっては、タッチパッドの表面は例えばグープ（Ｇｏｏｐ）のような柔らかい抵抗材料１６１からなり、マイラー（商標）支持部材とともに供給されている。
材料１６１は、それに加えられた力又は圧力の量の関数として、その電気抵抗を変化させる。図１１（Ｂ）は、この観点から、加えられた力の標準的な計測を図示している。既知の電圧が抵抗１６４と圧力センサとを横切って１６３にかけられ、グラウンド１６５に落ちている。材料１６１の抵抗はそれに加えられた力の関数として変化する。そして、１６６において計測される電圧は加えられた力の量を決定するために用いられ得る。このようにして、タッチパッドの表面のＸ−Ｙ２次元平面におけるユーザの指位置は、タッチパッドの表面材料における抵抗値の変化の関数として決定され得る。
【００２９】
図１１（Ｃ）は、既に議論された本発明の図８から図１０までの実施態様との組み合わせにおいて用いられるタッチパッド５１を他の実施態様にしたがって図示している。図１１（Ｃ）では、タッチパッド５１はＸ座標とＹ座標との双方及びユーザの指から加えられた圧力を検出する。図１１（Ｃ）のセンサは、指から加えられた力の位置とその量との双方を計測するのに用いられ得る。作用する際には、タッチパッド５１は、双方を検出すべく、位置検出モードと圧力量検出モードとの間で間欠的に切り替わり得る。
【００３０】
さらに図１１（Ｃ）を参照しつつ説明する。指位置検出モードにあっては、既知の電圧が１７１において印加され、グープレイヤ１７２の長さを横切ってグラウンド１７４に落ちる。しなやかなタッチ検出可能な表面１７５の上に指の力を加えることは、上層部の導電ストリップ１７６と圧力検出可能なレイヤー１７２との間に接触点を形成する。このこと故に、タッチパッドシステムは、１７７における電圧を計測できる。１７７の電圧は、センサの長さにそって、力の位置の関数として変化する（つまり、電極１７１と力の位置の間のグープの抵抗値、及び力の位置と電極１７４との間のグープの抵抗値の関数として変化する）。この実施態様にあっては、センサーは標準的な可変抵抗と同様の働きをする。センサーに加えられる力の総計は、計測値に副次的な影響を与える（そして、それは補償可能である）。
【００３１】
さらに図１１（Ｃ）を参照しつつ説明する。力検出モードにおいて、既知の電圧が１７８から加えられ、抵抗１７９とセンサーユニットとを横切ってグラウンドポイント１７１及び１７４に落ちる。力の接触位置とグラウンドとの間の総抵抗値は指により加えられた圧力の総計及び加えられた圧力の位置の関数として変化する。１７７において計測された電圧値は、センサーの一点に加えられた力の量を決定するのに使われ得る。そして、位置検出モードからのデータは、力位置に対する補正要素に適応するのに使われ得る。
【００３２】
図１２は、本発明の何れかの実施態様における電子ペンをそれとの組み合わせの中で用いることのできるデジタイザタブレットシステムを図示している。とはいえ、本発明の電子ペンは、ほかの従来型のデジタイザとの組み合わせにも用いることができるし、他の座標入力システムとの組み合わせにおいても用いることができる。本発明の図１２の実施態様にしたがっていえば、電子ペンは同調回路６１をその内部に有する。その同調回路は、例えば、コンデンサ６３を有しており、誘導コイル６５と協調して有効に働く。電子ペンの同調回路６１は、タブレット内の重なり合う複数の誘導ループコイル６７との間で通信し、タブレットのループコイルが電子ペンの存在及びその位置を検出できるようにする。そのやり方については、例えば、米国特許番号５，０２８，７４５に開示されており、概略を示すと次のようである。タブレットの複数のループコイルは電磁波を生成する、その電磁波は電子ペンの同調回路６１により受け取られる、そして、その電磁波は、別の電磁波をタブレットに送り返す、そして、それはタブレットのループコイルによって検出される。同調回路からタブレットのループコイルに送られた電磁波は、その内部にホイール７の回転の度合いの状態（又は領域５１の状態）を示す情報をポテンシオメータ１７により検出された如くに含んでいる。このことにより電子ペンはタブレットに対してホイール７の状態を指示することができるようになる。そして、その結果、ホイール７の状態は、変化されるべきグラフィカルパラメタを変化させるのに用いられる。ある特定の実施態様では、電子ペンの中の同調回路は、タブレットのループコイルのうちの一つのセットから電磁波を受け取り、同一のループコイルのセットに電磁波を送り返す。そして、同じタブレットコイルが電磁波の送信と電磁波の検出の双方を実行する。しかしながら、他の実施態様では、同調回路は、励振電磁波を同調回路に送ったコイルとは異なるセットのタブレット内のループコイルに対して電磁波を送り返すこともできる。
【００３３】
タブレットシステムは、受信回路７１、送信回路７３そして、処理デバイス７５を含み得る。タブレットのループコイル６７は、電子ペンから送られた電磁波を検出し、電子ペンの位置を検出する。この情報は、次に処理デバイス７５に転送されて、処理デバイス７５は、対応する表示システム７４に電子ペンの位置を指示する。
【００３４】
図１３は、本発明の前述した実施態様のうちの何れの電子ペンでも用いられ得る回路を示している。電子ペン回路は同調回路61を含む。そして、同調回路６１は、誘導コイル６５とコンデンサ６３を含む。可変コンデンサ９１は、ペン先圧力検出可能なスイッチ１３を代表する。スイッチ１３において、可変コンデンサは電子ペンによりペン先チップ11を介してタブレット表面に加えられた圧力の関数として変化する。同調回路は、電力が位置検出コイルに供給されたとき、タブレットのループコイルから生成された周波数におよそ同調することができる共振周波数を持つ。
【００３５】
同調回路の中には、オンオフサイドスイッチ９を代表するスイッチ９３もまた含まれている。例えば、スイッチ９３が開いているときには、同調回路は周波数Ａを放出し、スイッチ９３が閉じているときには、異なる周波数Ｂを放出し得る。または、同調回路により出力される信号の位相は、スイッチが開いているか閉じているかの関数として変化し得る。
【００３６】
ある特定の実施態様においては、ポテンシオメータ１７は、指回しホイール７の回転位置の関数として変化する可変抵抗９９を含む。そのようにして、抵抗９９は、中立のあらかじめ定められた位置にある時、最初の抵抗値を持つ。そして、ホイール７がある位置まで時計周りに回転されると、別の抵抗値を持つ。かくして、ホイール７のそれぞれの動き得る位置は、ポテンシオメータの抵抗９９の抵抗値の与えられたものを指示する。また、本発明の特定の代替実施態様においては、可変コンデンサ又は可変インダクタンスがポテンシオメータの可変抵抗９９の代わりに用いられ得る。
【００３７】
図１４は図１の電子ペンの部分拡大図である。指回しホイール７、ギヤホイール15及びポテンシオメータ１７のより詳細を示している。図１５から１７は、図１４の電子ペンを前から見た断面図である。断面の位置は図１４に示されている。さらに付け加えると、図１８から図２０までは、図１４の実施態様における指回しホイール７を示している。
【００３８】
図１４から20までを参照しつつ、本発明の特定の実施例について説明する。指回しホイール又はダイヤル７は、少なくともその一部がギヤ歯１０１を持った周辺部の表面を縁取っている。例えば、図14及び図18から図20までに示すように、ホイール７の直径に沿った周辺部の外側のうち半分以上はおよそ平坦であって、ギヤ歯を縁取られてはいない。しかしながら、複数のギヤ歯１０１（例えば、7個のギヤ歯）がホイール７の周辺部のうち低い部分に沿って設けられている。ポテンシオメータホイール１６はギヤホイール１５によって駆動される。図１９に最もよく示されているように、ギヤ歯１０１をそこに縁取られて含んでいるホイール７の外側周辺部は、軸31の周りにおよそ80度から140度の円弧を描いている。より好ましくは90度から130度の円弧であり、最も好ましくは１０８度である。それらの円弧の中心は、ホイールの中心と同一である。ホイール７の外側周辺部の残り部分には、実質的にギヤ歯はない。図14と図１５に示すように、ホイール７の外側周辺部のうちギヤ歯のない部分は、ユーザがホイール又はダイヤル７を回し、電子ペンにより描き又は書くイメージのパラメタを変更するために指により接触可能となっている。そして、ホイール７のギヤ歯のついた部分は通常、ユーザの操作のためには露出されていなくて、対応するギヤ歯１０３と相互作用する。ギヤ歯１０３は、中間ギヤホイール１５（又はポテンシオメータのギヤ）の周辺部に刻まれている。
【００３９】
ギヤホイール１５のギヤ歯１０３は指回しホイール７のギヤ歯１０１と噛み合い、相互作用をし、ギヤホイール１５のギヤ歯１０５はポテンシオメータダイヤル部分１７のギヤ歯１０７と噛み合い、相互作用をする。特定の実施態様にあっては、ポテンシオメータ１７の回転可能なホイール又は円板の周辺部のその中心に関して40度から180度の部分はギヤ歯107を含んでいる。
【００４０】
中間ギヤホイール１５は、ギヤ歯103を含む直径に沿った周辺部の第一の部分と、ギヤ歯105をそこに刻まれて含む直径に沿った周辺部の第二の部分とを含む。軸を共通にするこれらの二つの部分は実質的に軸33の周りに同軸の形状となっており、好ましくはそれぞれが３６０度全体にわたってギヤ歯１０３とギヤ歯１０５により覆われている。或いは、その代わりにギヤホイール１５のこれらの周辺部はギヤ歯により覆われなくともよい。ギヤ歯１０５を含むギヤ歯を持つ外側の或いはより大きい周辺部は、ギヤ歯１０３を含む内側或いはより小さい周辺部分よりも実質的により大きな直径をもち、（ギヤは１０５により回転を引き起こされる）回転可能なホイール又はポテンシオメータのギヤ歯を持つ部分がホイール７とは異なるスピードで回転されることとなる。指回しホイール７のギヤ歯１０１は、ギヤホイール１５のギヤ歯１０３と噛み合い、ギヤホイールが指回しホイールが回転するに連れて回転するように仕向ける。ギヤホイール１５がそのようにして回転を引き起こされると、それにより、その外側の周辺部でギヤ歯１０５を含む部分もまた回転するように仕向けられる。ギヤ歯１０５はポテンシオメータホイール又はダイヤルのギヤ歯１０７と噛み合い、それがその中心軸の周りに回転するように仕向ける。ポテンシオメータダイヤル又はホイール１０９がその軸の周りに回転する角度は、ポテンシオメータの出力を決定し、かつ、それは指回しホイール７の回転角度の関数となる。
【００４１】
図１５に示されるように、ギヤホイール１５は、ギヤ歯１０３とギヤ歯１９５がその周辺部の派生物として軸を共通として刻まれて、プラスチックまたは金属により一つの総体として成型され得る。図１５に示されるように、外側の周辺ギヤ歯１０５と内側の周辺ギヤ歯１０３とはそれぞれが同じ軸１１１の周りに実質的に円を形成する。しかしながら、ギヤ歯１０３はギヤ歯１０５からわずかに側方に分かれて形成されて、ホイール７のギヤ歯１０１は、ギヤ歯１０５とは噛み合いも接触もせずに、ギヤ歯１０３と接触できるようになっている。ギヤ歯１０５は同時にポテンシオメータのギヤ歯１０７と噛み合い、そしてそれを回転させる。それによりポテンシオメータは、ホイール又はダイヤル７が所定の位置から回転された角度を検出できる。
【００４２】
指からポテンシオメータのような検出デバイスに至るまでの回転運動を伝達すべくプーリー、ケーブル、ベルト又は他の伝達機構が中間ギヤホイールの代わりに用いられ得ることは、注意すべきである。
【００４３】
図１８から２０までに示したように、指回しホイール７は軸３１の周りに回転可能である。オプション的なことではあるが、与えられたホイールの部分が電子ペンの筐体に対して放射状に動くことをユーザが感じることができるようにするために、ノッチ１１３がホイールの外側の周辺部に設けられ得る。例えば、図１５及び図１９に示すように、ホイール７がそのゼロの位置或いは他の所定の位置にあるとき、ノッチ１１３は電子ペンの筐体スリットの中央で、軸３１のちょうど真上に位置し得る。ホイール又はダイヤル７の位置を変更して描かれるイメージのパラメタを調整したいとユーザが欲するとき、ユーザはホイールを軸３１の周りに所定の位置から遠ざける方向に回転させることができる。例えば、図１４に示す方向、つまり、ノッチ１１３がシータ度時計周りに回転されて新しい位置まできた状態である。ホイール又はダイヤル７がその所定の位置から回転された回転角度シータは、パラメタが変更されるべき量を指示する。上述したように、回転の角度シータは、ポテンシオメータ１７により検出される。
【００４４】
さらに図１８から図２０を参照しつつ説明する。ある特定の実施態様において、ダイヤル又はホイール７は、プラスチック又は金属により一体成型された部分１１５を含み得る。一体成型部分１１５は、中央の空洞１１７を有する。空洞１１７は軸３１を包み込む。これによりホイール７は図１５に示すように、管１１９にフィットする。（すなわち、管１１９又は他の長手部材は環状の或いは他の形状をした空洞１１７にぴったりと当てはまり、その管とホイールとは実質的に軸を同じくして、それに関連してホイールが軸３１の周りに回転し得るようになっている。）特定の実施態様において、一体成型部分１１５は、さらに実質的にTの形をした環状の突出部１２１を有し得る。それにより、ゴム又はエラストマーの周辺握り材料１２３がホイール７の外側部分に付属することが可能となる。ある特定の実施態様にあっては、エラストマー握り材料１２３がホイール７にその周辺部分のうちギヤ歯１０１を含まない部分において付属される（例えば、T形状をした接続部材１２１はホイールのギヤ歯のついた領域内に位置する必要はない）。部分１２１とエラストマ材料部分１２３とは、それぞれが少なくとも部分的に形状において軸３１の周りに環状である。そして、部分的に中心ホイール軸３１の周りに何度かの円弧を形成する。ホイール７の一体成型部分１１５は、さらにギヤ１０１が刻まれたギヤ歯ベース部分１２７をも含む。図１９に示すように、ギヤ歯ベース１２７は、少なくとも部分的に軸３１の周りに環状の形状である。そして、特定の実施態様にあっては、ギヤ歯ベース部分１２７は、一体成型部分１１５の中心領域から外に向かって広がることができ、図１８から図２０に示すように、その外側の周辺部分に刻まれたギヤ歯１０１を含む。ギヤ歯ベース部分１２７は、軸３１の周りに環状の円弧をギヤ歯１０１と同じ角度で形成し、又はわずかに大きい円弧をある特定の実施例においては形成する（例えば、軸３１の周りに８０度から１４０度まで、もっと好ましくは９０度から１３０度まで）。付言すれば、特定の実施態様にあっては、環状のT形状をした部材１２１（そして握り部分１２３）とギヤベース部分１２７は、ともに軸３１の周りの円弧空間を占有する。このことは図１８から図２０に示す実施態様においては当たらない。図１８から図２０の実施態様では、T形状の部分１２１は軸３１の周りの３６０度の円弧のうちの与えられた部分を占有している。そして、部分１２７は実質的に軸３１の周りの円弧の残りの部分で、Ｔ形状の部分１２１が位置していない場所を占有している。
【００４５】
さらに詳しく図１８から図２０までを参照しつつ説明する。ホイール又はダイヤル７のギヤ歯支持部分１２７は、軸３１に関連する第一の軸の太さを有する。それに対し、ホイール又はダイヤル７の中心部分１１５は第二の大きさの軸の太さを軸３１に関連して有している。部分１１５のより太い軸の太さは握り部材１２３が十分にダイヤルに付属できるようにするためのものである。そして、部分１２７がより細くなっていること及びそこにギヤ歯１０１が刻まれることは、ギヤ歯１０１と部分１２７とが、ギヤ歯１９５と干渉せずにギヤホイールのギヤ歯１０３にフィットすることを可能にするためである。
【００４６】
この発明の他のユニークな観点が図１４,１６,１７に示されている。スイッチ９を支持する構造に関するものである。この実施態様にあっては、実質的に平坦な回路基板２１が、平面を形成している。その平面図が図１４に示されている。この基板２１の平面は、図１４ではペン先からペンの後ろに向かって、下のほうに広がっている。そして、チップ１９がそこに搭載されている。
【００４７】
スイッチ９は指ボタン１３１と圧力検出可能なスイッチング検出機構１３３を備えている。検出機構１３３は表面１３５のおよそ平らなプラットフォームの上に搭載されている。プラットフォーム１３５はスイッチ９の一部となり得る（スイッチ９はオンオフスイッチ、又は受けた圧力の量に基いて多様な信号を出力可能なほかの圧力検出デバイスであり得る）。又はその代わりに、スイッチの一部である支持表面であって、デバイスを支持するものであり得る。どちらの場合であっても、固定されたプラットフォーム１３５は、スイッチ９及びボタン１３１と提携して作用する。そして、プラットフォーム１３５はボタン軸１３４に沿ってボタン１３１の下に位置する。図１７に最もよく示されるように、表面１３５は、第一の支持構造と、第二の支持構造との間に搭載される。第一の支持構造は、平行な支持延長部分１３７及び１３９とを有し、筐体内部の一方の側面から延びる。第二の支持構造は、平行な支持延長部分１３７及び１３９とを有し、筐体内部の他の側面或いは反対側の側面から延びる。支持延長部分１３７，１３９，１４１そして１４３は、それぞれ回路基板２１の平面に実質的に垂直な平面を形成する。支持体１３７，１３９，１４１そして１４３は、プラスチック製であり得て、空洞を有する電子ペン筐体５と一体的に成型され得る。支持体は金属製とすることもできる。また、筐体と一体成型とせずに、単純に筐体内部にくっつけることもできる。
【００４８】
図１５から図１７までに最もよく示されているように、回路基板２１の平面は、図１５から図１７までに図示された筐体の側壁部分１３６と実質的に平行である（つまり、平行から１０度程度の違いがあり得る程度）。そして、回路基板２１の平面は、プラットフォーム１３５の平面と実質的に垂直でもある。別ないい方をすれば、軸１３４は実質的に（つまり、１０度程度の違いの範囲内で）回路基板２１と平行であるか、ある実施態様にあっては、同一平面内にある。軸１３４とは、それに沿って、スイッチ操作の際に、ボタン１３１が押されたり（そして、放されたり）する軸である。ボタン動作軸１３４（図１６参照）もまた、表面１３５に対してと同様に、支持体１３７，１３９，１４１及び１４３によりそれぞれ形成される平面に実質的に垂直である。スイッチング機構及びスイッチ支持機構に関するこのユニークな回路基板２１の配置関係は、指回しホイール構造をして、小さい筐体にうまく収まることを可能ならしめている。図示された本発明の実施態様においては、ボタン１３１はオンオフスイッチ９の部分である。このことは、すべての実施態様について必要なことではない。スイッチ９は代わりにユーザによりボタンに加えられる多様な（例えば、５つ、１０個、百個、或いは千個の）異なる圧力レベルを検出できる可変圧力検出可能なスイッチでもよいことが認識される。
【００４９】
一旦、上述の開示がなされたことを前提とすると、他の特徴、修正、そして改良が、熟練した当業者には見えてくるであろう。それらの他の特徴、修正、改良は、この発明の一部であると考えられる。そして、発明の範囲は特許請求の範囲により定義される。
【図面の簡単な説明】
【図１】  エアブラッシを疑似する電子ペンで本発明の実施例に基づく指回しホイールを有するものの側面から見た部分断面図である。
【図２】  図１のエアブラッシを疑似する電子ペンの側面図である。
【図３】  図３（ａ）から図３（ｊ）までは、図１の電子ペンの前から見た部分断面図であって、対応する切断面は、図２に示してある。
【図４】  本発明の他の実施例に基づく指回しホイールを含む電子ペンの平面図である。この実施例は、細長いデザインがされている。
【図５】  図4に示す実施例の電子ペンの側面図である。
【図６】  図4に示す電子ペンの前から見た図である。指回しホイールがわずかに筐体から突き出ているのが見える。
【図７】  図4の電子ペンを後ろから見た図である。従来型のオンオフスイッチがわずかに筐体から突き出ているのが見える。
【図８】  本発明のさらにほかの実施例に基づいてタッチ検出指座標入力パッド又は領域を含んだ電子ペンの平面図である。
【図９】  図8に示す電子ペンの側面図である。
【図１０】  図8の電子ペンを前から見た図である。図8の電子ペンのタッチ検出指領域が実質的には筐体と同じレベルにあって、筐体からは突き出ていないのが見える。
【図１１】  図１１（ａ）は、図8の電子ペンを後ろから見た図である。図１１（ｂ）は、図8から図10までの本発明の実施例との組み合わせに用いられ得るタッチパッドの概念図である。図１１（ｃ）は、図８から図１０までの本発明の実施例との組み合わせに用いられ得る他のタッチパッドの概念図である。
【図１２】  デジタイザタブレットシステムを示す概念図である。本発明のすべての実施例に出てくる電子ペンは、図12に示すこのデジタイザタブレット座標入力システムとの組み合わせにおいて用いられる。
【図１３】  本発明のいずれの実施例にも共通に用いられる電子ペンの、同調回路とポテンシオメータを含む電子回路の構成をあらわす回路図である。
【図１４】  図1に示す本発明の実施例の指回しホイールを含む疑似エアーブラッシ電子ペンの側面部分断面図である。電子ペンの内部を図１よりももっと詳細に示してある。
【図１５】  図14に示す１５−１５の切断面に沿って図１４の電子ペンを前から見た断面図である。
【図１６】  図14に示す１６−１６の切断面に沿って図14の電子ペンを前から見た断面図である。
【図１７】  図14に示す１７−１７の切断面に沿って図14の電子ペンを前から見た断面図である。
【図１８】  本発明の図14から図17までに示す実施例における指回しホイールの後ろ正面図である。
【図１９】  図18に示す指回しホイール側面図である。
【図２０】  図14から図19に示す指回しホイールの前から見た断面図である。
【符号の説明】
１    電子ペン
５    筐体
７    指回しホイール又はダイヤル
９    オンオフデータインプットスイッチ
１１    感圧ペン先
１３    感圧デバイス
１５    中間ギヤホイール
１７    ロータリーポテンシオメータ
１９    主要処理実行チップ
２１    プリント回路基板
【図１】
0004267758.tif 000002
【図２】
0004267758.tif 000003
【図３】
0004267758.tif 000004
【図４】
0004267758.tif 000005
【図５】
0004267758.tif 000006
【図６】
0004267758.tif 000007
【図７】
0004267758.tif 000008
【図８】
0004267758.tif 000009
【図９】
0004267758.tif 000010
【図１０】
0004267758.tif 000011
【図１１】
0004267758.tif 000012
【図１２】
0004267758.tif 000013
【図１３】
0004267758.tif 000014
【図１４】
0004267758.tif 000015
【図１５】
0004267758.tif 000016
【図１６】
0004267758.tif 000017
【図１７】
0004267758.tif 000018
【図１８】
0004267758.tif 000019
【図１９】
0004267758.tif 000020
【図２０】
0004267758.tif 000021